(57)【要約】【課題】  入力しようとするカルテ情報と関連のある過去のカルテ情報を自動的に表示することのできる、操作性に優れたカルテ入力装置を提供する。【解決手段】  オーダ情報を含むカルテ情報の入力を受け付けるカルテ入力装置において、過去のオーダ情報を記憶しておくオーダ情報記憶部１１０と、複数種類の入力ツールの中からユーザにより選択された入力ツールを起動して該入力ツールに応じたオーダ情報を入力するオーダ情報入力部１２０と、上記入力ツールとリンクした抽出条件を記憶しておく抽出条件記憶部１３０と、上記複数種類の入力ツールの中からユーザにより選択された入力ツールに抽出条件がリンクしていた場合にそのリンクした抽出条件に従って、過去のオーダ情報の中からその抽出条件に合致したオーダ情報を抽出して表示するブラウザ表示部１４０とを備えた。【選択図】        図１
2006048598.tif 000002
【特許請求の範囲】
【請求項１】
受診患者に対する診療行為を指示するオーダ情報を含むカルテ情報の入力を受け付けるカルテ入力装置において、
受診患者に対する過去に指示された診療行為を表す過去のオーダ情報を記憶しておくオーダ情報記憶部と、
種類分けされた複数種類のオーダ情報の入力をそれぞれ分担する複数種類の入力ツールの中からユーザにより選択された入力ツールを起動し該入力ツールを用いて該入力ツールに応じたオーダ情報を入力するオーダ情報入力部と、
前記複数種類の入力ツールのうちのいずれかの入力ツールとリンクした抽出条件を記憶しておく抽出条件記憶部と、
前記複数種類の入力ツールの中からユーザにより所望の入力ツールが選択されたことを受けて、その選択された入力ツールに抽出条件がリンクしていた場合にそのリンクした抽出条件に従って、過去のオーダ情報の中からその抽出条件に合致したオーダ情報を抽出して表示するブラウザ表示部とを備えたことを特徴とするカルテ入力装置。
【請求項２】
前記オーダ情報入力部は、ユーザによる入力ツールを閉じる指示を受けて該入力ツールを閉じることにより該入力ツールに応じたオーダ情報の入力を終了するものであって、
前記ブラウザ表示部は、ユーザによる入力ツールを閉じる指示があったことを受けて、表示中のオーダ情報の表示を終了するものであることを特徴とする請求項１記載のカルテ入力装置。
【請求項３】
コンピュータを、
受診患者に対する過去に指示された診療行為を表す過去のオーダ情報を記憶しておくオーダ情報記憶部と、
種類分けされた複数種類のオーダ情報の入力をそれぞれ分担する複数種類の入力ツールの中からユーザにより選択された入力ツールを起動し該入力ツールを用いて該入力ツールに応じたオーダ情報を入力するオーダ情報入力部と、
前記複数種類の入力ツールのうちのいずれかの入力ツールとリンクした抽出条件を記憶しておく抽出条件記憶部と、
前記複数種類の入力ツールの中からユーザにより所望の入力ツールが選択されたことを受けて、その選択された入力ツールに抽出条件がリンクしていた場合にそのリンクした抽出条件に従って、過去のオーダ情報の中からその抽出条件に合致したオーダ情報を抽出して表示するブラウザ表示部とを備えた、受診患者に対する診療行為を指示するオーダ情報を含むカルテ情報の入力を受け付けるカルテ入力装置として動作させることを特徴とするカルテ入力プログラム。
【発明の詳細な説明】
【技術分野】
【０００１】
本発明は、受診患者に対する診療行為を指示するオーダ情報を含むカルテ情報をコンピュータに入力するカルテ入力装置およびカルテ入力プログラムに関する。
【背景技術】
【０００２】
近年、コンピュータを用いた電子カルテシステムが広く普及しつつある。しかし、一般に用いられている電子カルテシステムは、従来の紙のカルテと同様に１日１ページ単位の画面構成となっているものが多く、患者の過去の履歴を参照する場合に、紙のカルテをめくるようにページ切替え操作を行って必要な情報を探し出さなければならず、カルテのページ数の多い患者の場合には、必要な情報を探し出すのに相当の時間を要するという問題がある。
【０００３】
また、日付指定なしの画面構成となっているものもあるが、このタイプのシステムでは必要な情報を探し出すのはさらに難しい。
【０００４】
このような問題を解消するために、複数のカルテ情報を縦に並べた状態で連結して表示し、それを利用者が上下にスクロールすることにより必要なカルテ情報を閲覧できるようにした診療録装置が開示されている（例えば、特許文献１参照。）。
【０００５】
また、上記技術の他にも、例えば、患者情報、診療情報、オーダ情報、処置情報、処方オーダ等の医療処置に関する複数種類のカルテ情報をそれぞれ専用の画面で表示するようにし、それら複数種類の画面をマウス操作などで切り換えられるようにして、過去のカルテ情報を参照しやすくした医療管理システムが開示されている（例えば、特許文献２参照。）。
【特許文献１】特開２００３−１０８６６６号公報（第４−５頁、図１、２）
【特許文献２】特開２００１−５８９０号公報（第２−３頁、図１）
【発明の開示】
【発明が解決しようとする課題】
【０００６】
しかし、上記特許文献１に記載された診療録装置では、スクロール操作により複数のカルテ情報を連続的に閲覧することができるという点で操作性は若干向上するものの、電子カルテシステムの利用者である医師は、単に複数のカルテ情報を閲覧するというだけではなく、これから実施しようとしている診療行為に関連のある過去のカルテ情報のみを迅速に閲覧したいというニーズを持っている場合が多い。このようなニーズに対して、上記の診療録装置では、画面に表示された複数のカルテ情報の中から、実施しようとしている診療行為に関連のある情報を選び出さなければならず、カルテ情報の量が多い場合には必要な情報を検索するのに相当の時間を必要とするという問題がある。
【０００７】
また、上記特許文献２記載の医療管理システムでも、これから実施しようとしている診療行為に必要な画面を複数の画面の中から選び出さなければならず、やはり操作性が低いという問題がある。
【０００８】
ここで、従来のカルテ入力装置における入力操作について図面を参照して説明する。
【０００９】
図１８は、従来のカルテ入力装置におけるカルテ入力画面の一例を示す図である。
【００１０】
このカルテ入力画面９００は、いわゆる電子カルテシステムの端末装置に表示される画面の一例であり、図１８に示すように、画面上部には受診患者の基本的な情報が表示される基本情報領域９０１、画面左側には過去のオーダ情報（後述）が表示されるブラウザ表示領域９０２、画面右側にはカルテ情報が入力されるカルテ入力領域９０３が設けられている。
【００１１】
なお、本明細書において“ブラウザ”とは、入力した内容を画面に表示するための機能をいい、カルテ入力装置の利用者は、このブラウザを用いて、受診患者の過去のカルテ情報の中から、指定された抽出条件で抽出された情報を画面上に表示させることができる。
【００１２】
利用者は、このカルテ入力画面９００右側のカルテ入力領域９０３で患者のカルテ情報を入力する。通常、この種の電子カルテシステムでは、カルテ情報入力に際して、例えば処方オーダ、検査オーダ、放射線オーダなどの入力を支援する各種の入力ツールが用意されており、利用者がカルテ入力領域９０３上でマウスを右クリックするとこれら各種の入力ツール名が列挙された入力ツール選択メニュー画面９０４がカルテ入力領域９０３上に表示され、その中から利用者が所望の入力ツールを選択するとその入力ツールが起動し、カルテ入力領域９０３上に入力ツール画面９０５が表示される。利用者はその入力ツール画面９０５を用いてカルテ入力を行う。
【００１３】
ここで利用者が、例えば検査オーダの入力を行うに当たり、患者の過去の検査オーダに関する情報を参照したいというニーズが生じた場合には、カルテ入力画面９００’の左側に設けられたブラウザ表示領域９０２上でマウスを右クリックすることにより、ブラウザ表示領域９０２上にブラウザメニュー選択画面９０６を表示させ、このブラウザメニュー選択画面９０６の“条件指定”をクリックして抽出条件指定メニュー９０７を表示させ、その中から所望の条件、例えば“条件２（検査オーダ）”９０８を選択することにより、電子カルテシステムのデータベースに保管されている過去のカルテ情報の中からこの受診患者の検査オーダ情報９０９が抽出され、ブラウザ表示領域９０２上に表示される。利用者は、この検査オーダ情報９０９を参照しながらカルテ入力領域９０３上で検査オーダの入力を行うことができる。
【００１４】
以下に、従来のカルテ入力装置における処理をフローチャートを参照しながらさらに詳細に説明する。
【００１５】
図１９は、従来のカルテ入力装置におけるオーダ情報入力処理のフローチャートの一例である。
【００１６】
先ず、ステップＳ２１〜Ｓ２２において、入力ツールの選択が行われる。すなわち、カルテ入力画面９００（図１８参照）のカルテ入力領域９０３に患者のカルテ情報を入力するに当たり、利用者が前述の処方オーダ、検査オーダ、放射線オーダなどの各種の入力ツールの中から所望の入力ツールを選択することにより、入力ツールの起動が行われる（ステップＳ２３）。次に、選択された入力ツールを用いての処方オーダや検査オーダなどの編集処理が行われ（ステップＳ２４）、編集結果は所定の記憶場所に格納される（ステップＳ２５）。
【００１７】
従来のカルテ入力装置では、このオーダ情報入力に際して、受診患者の過去のオーダ情報をブラウザ表示部に表示させようとした場合には、図１８を参照して説明したように、カルテ入力操作とは全く独立したブラウザ表示操作を行う必要がある。
【００１８】
図２０は、従来のカルテ入力装置におけるブラウザ表示処理のフローチャートの一例である。
【００１９】
例えば、利用者が、カルテ入力画面９００’のブラウザ表示領域９０２上でマウスを右クリックすることにより、ブラウザ表示プログラムが起動し（ステップＳ３１）、次に、ステップＳ３２において利用者に関する基本情報が記憶された利用者マスタの読み込みが行われた後、その利用者が受診患者の過去のカルテ情報を抽出しブラウザに表示させる上での条件が設定されたブラウザ表示条件がデータベースに保管されているか否かの判定が行われる（ステップＳ３３）。
【００２０】
ステップＳ３３における判定の結果、ブラウザ表示条件が保管されている場合はステップＳ３６に進みブラウザ表示領域９０２（図１８参照）上にカルテ情報９０９を表示してこの処理を終了する。
【００２１】
一方、ステップＳ３３における判定の結果、ブラウザ表示条件が保管されていない場合はステップＳ３４に進み、ブラウザ表示条件設定処理、すなわち、その利用者による受診患者の過去のカルテ情報を抽出しブラウザに表示させる上での条件の設定が行われ、設定されたブラウザ表示条件の保管処理が行われ（ステップＳ３５）、次いでブラウザ表示領域９０２（図１８参照）上にカルテ情報９０９を表示し（ステップＳ３６）、この処理を終了する。
【００２２】
以上説明したように、従来のカルテ入力装置では、カルテ入力領域でオーダ情報を入力する操作と、患者の過去のカルテ情報をブラウザ表示領域に表示させるための操作とを独立に行わなければならず操作がわずらわしいという問題がある。
【００２３】
本発明は、上記事情に鑑み、入力しようとするカルテ情報と関連のある過去のカルテ情報を自動的に表示することのできる、操作性に優れたカルテ入力装置およびカルテ入力プログラムを提供することを目的とする。
【課題を解決するための手段】
【００２４】
上記課題を解決する本発明のカルテ入力装置は、
受診患者に対する診療行為を指示するオーダ情報を含むカルテ情報の入力を受け付けるカルテ入力装置において、
受診患者に対する過去に指示された診療行為を表す過去のオーダ情報を記憶しておくオーダ情報記憶部と、
種類分けされた複数種類のオーダ情報の入力をそれぞれ分担する複数種類の入力ツールの中からユーザにより選択された入力ツールを起動し該入力ツールを用いて該入力ツールに応じたオーダ情報を入力するオーダ情報入力部と、
上記複数種類の入力ツールのうちのいずれかの入力ツールとリンクした抽出条件を記憶しておく抽出条件記憶部と、
上記複数種類の入力ツールの中からユーザにより所望の入力ツールが選択されたことを受けて、その選択された入力ツールに抽出条件がリンクしていた場合にそのリンクした抽出条件に従って、過去のオーダ情報の中からその抽出条件に合致したオーダ情報を抽出して表示するブラウザ表示部とを備えたことを特徴とする。
【００２５】
本発明のカルテ入力装置によれば、上記のオーダ情報記憶部、オーダ情報入力部、抽出条件記憶部、およびブラウザ表示部を備えた構成としたことにより、入力ツールとリンクした抽出条件に合致したオーダ情報が抽出され表示されるので、入力しようとするオーダ情報と関連のある過去のカルテ情報を参照しながらオーダ情報を入力することができる。
【００２６】
ここで、上記抽出条件記憶部が、さらに、上記入力ツールとは独立の抽出条件を記憶しておくものであって、上記ブラウザ表示部が、ユーザによる抽出条件の指定を受けて、その指定された抽出条件に従って、過去のオーダ情報の中からその抽出条件に合致したオーダ情報を抽出して表示するものであることが好ましい。
【００２７】
本発明のカルテ入力装置を上記のように構成した場合は、ユーザにより抽出条件を指定することができるので、このカルテ入力装置の操作性をさらに向上させることができる。
【００２８】
また、上記入力ツールと上記抽出条件とのリンク情報が、抽出に先立って該抽出条件を表示することを指定する抽出条件表示フラグを含むものであって、上記ブラウザ表示部は、上記複数種類の入力ツールの中からユーザにより所望の入力ツールが選択されたことを受けて、その選択された入力ツールに抽出条件がリンクしていた場合であってそのリンク情報に抽出条件表示フラグが含まれていたときは、そのリンクされた抽出条件を一旦表示してユーザによる修正操作および確定操作を受け付け、確定操作により確定した抽出条件に従って、過去のオーダ情報の中からその抽出条件に合致したオーダ情報を抽出して表示するものであり、そのリンク情報に抽出条件表示フラグが含まれていないときは、そのリンクされた抽出条件を表示することなく、該抽出条件に従って、過去のオーダ情報の中からその抽出条件に合致したオーダ情報を抽出して表示するものであることも好ましい態様である。
【００２９】
本発明のカルテ入力装置を上記のように構成した場合は、入力ツールにリンクした抽出条件を修正するか否かを利用者が選択することができるので、このカルテ入力装置の操作性をさらに向上させることができる。
【００３０】
また、上記オーダ情報入力部は、ユーザによる入力ツールを閉じる指示を受けて該入力ツールを閉じることにより該入力ツールに応じたオーダ情報の入力を終了するものであって、上記ブラウザ表示部は、ユーザによる入力ツールを閉じる指示があったことを受けて、表示中のオーダ情報の表示を終了するものであることも好ましい態様の一つである。
【００３１】
本発明のカルテ入力装置を上記のように構成した場合は、利用者が入力ツールを閉じるとともに、表示中の入力ツールの表示を終了させることができるので、このカルテ入力装置の操作性をさらに向上させることができる。
【００３２】
また、上記課題を解決する本発明のカルテ入力プログラムは、
コンピュータを、受診患者に対する過去に指示された診療行為を表す過去のオーダ情報を記憶しておくオーダ情報記憶部と、種類分けされた複数種類のオーダ情報の入力をそれぞれ分担する複数種類の入力ツールの中からユーザにより選択された入力ツールを起動し該入力ツールを用いて該入力ツールに応じたオーダ情報を入力するオーダ情報入力部と、上記複数種類の入力ツールのうちのいずれかの入力ツールとリンクした抽出条件を記憶しておく抽出条件記憶部と、上記複数種類の入力ツールの中からユーザにより所望の入力ツールが選択されたことを受けて、その選択された入力ツールに抽出条件がリンクしていた場合にそのリンクした抽出条件に従って、過去のオーダ情報の中からその抽出条件に合致したオーダ情報を抽出して表示するブラウザ表示部とを備えた、受診患者に対する診療行為を指示するオーダ情報を含むカルテ情報の入力を受け付けるカルテ入力装置として動作させることを特徴とする。
【００３３】
本発明のカルテ入力プログラムによれば、上記のオーダ情報記憶部、オーダ情報入力部、抽出条件記憶部、およびブラウザ表示部を備えた構成としたことにより、入力ツールとリンクした抽出条件に合致したオーダ情報が抽出され表示されるので、入力しようとするオーダ情報と関連のある過去のカルテ情報を参照しながらオーダ情報を入力することができるカルテ入力装置をコンピュータ上に容易に形成することができる。
【発明の効果】
【００３４】
以上説明したように、本発明によれば、入力しようとするオーダ情報と関連のある過去のカルテ情報を自動的に表示することのできる、操作性に優れたカルテ入力装置およびカルテ入力プログラムを実現することができる。
【発明を実施するための最良の形態】
【００３５】
以下図面を参照して本発明の実施の形態を説明する。
【００３６】
図１は、本発明の一実施形態のカルテ入力装置およびカルテ入力プログラムの概略構成図である。
【００３７】
図１に示すように、このカルテ入力装置１００は、オーダ情報記憶部１１０、オーダ情報入力部１２０、抽出条件記憶部１３０、およびブラウザ表示部１４０を備え、受診患者に対する診療行為を指示するオーダ情報を含むカルテ情報の入力を受け付ける装置である。
【００３８】
オーダ情報記憶部１１０は、受診患者に対する過去に指示された診療行為を表す過去のオーダ情報を記憶しておくものである。
【００３９】
オーダ情報入力部１２０は、種類分けされた複数種類のオーダ情報の入力をそれぞれ分担する複数種類の入力ツールの中からユーザにより選択された入力ツールを起動し該入力ツールを用いて該入力ツールに応じたオーダ情報を入力するものである。
【００４０】
抽出条件記憶部１３０は、上記複数種類の入力ツールのうちのいずれかの入力ツールとリンクした抽出条件を記憶しておくものである。
【００４１】
ブラウザ表示部１４０は、上記複数種類の入力ツールの中からユーザにより所望の入力ツールが選択されたことを受けて、その選択された入力ツールに抽出条件がリンクしていた場合にそのリンクした抽出条件に従って、過去のオーダ情報の中からその抽出条件に合致したオーダ情報を抽出して表示するものである。
【００４２】
本実施形態では、上記抽出条件記憶部１３０は、さらに、上記入力ツールとは独立の抽出条件を記憶しておくものであって、上記ブラウザ表示部１４０は、ユーザによる抽出条件の指定を受けて、その指定された抽出条件に従って、過去のオーダ情報の中からその抽出条件に合致したオーダ情報を抽出して表示するように構成されている。
【００４３】
また、本実施形態では、上記入力ツールと上記抽出条件とのリンク情報が、抽出に先立って該抽出条件を表示することを指定する抽出条件表示フラグを含むものであって、上記ブラウザ表示部１４０は、上記複数種類の入力ツールの中からユーザにより所望の入力ツールが選択されたことを受けて、その選択された入力ツールに抽出条件がリンクしていた場合にそのリンク情報に抽出条件表示フラグが含まれているか否かに応じて次の２通りの処理を行うように構成されている。
【００４４】
すなわち、そのリンク情報に抽出条件表示フラグが含まれていたときは、そのリンクされた抽出条件を一旦表示してユーザによる修正操作および確定操作を受け付け、確定操作により確定した抽出条件に従って、過去のオーダ情報の中からその抽出条件に合致したオーダ情報を抽出して表示する。
【００４５】
一方、そのリンク情報に抽出条件表示フラグが含まれていないときは、そのリンクされた抽出条件を表示することなく、該抽出条件に従って、過去のオーダ情報の中からその抽出条件に合致したオーダ情報を抽出して表示する。
【００４６】
以上説明したように、本実施形態のカルテ入力装置１００は、選択された入力ツールにリンクした抽出条件に従って過去のオーダ情報の中からその抽出条件に合致したオーダ情報を抽出して表示する「ツール連動抽出機能」を有しており、この「ツール連動抽出機能」を制御するために、上記の抽出条件表示フラグを含め次の４つのフラグを備えている。
（１）ツール連動初期設定フラグ
（２）ツール連動フラグ
（３）抽出条件表示フラグ
（４）条件保存フラグ
ツール連動初期設定フラグは、「ツール連動抽出機能」の有効／無効を初期設定するためのフラグであり、ツール連動フラグは、抽出条件を新規に設定するためのフラグであり、抽出条件表示フラグは、抽出されたオーダ情報を表示するか否かを指定するフラグであり、条件保存フラグは、抽出条件を変更した場合に変更した抽出条件を保存するか否かを指定するためのフラグである。各フラグの詳細については例を挙げて後述する。
【００４７】
さらに、本実施形態では、上記オーダ情報入力部１２０は、ユーザによる入力ツールを閉じる指示を受けて該入力ツールを閉じることにより該入力ツールに応じたオーダ情報の入力を終了するものであって、上記ブラウザ表示部１４０は、ユーザによる入力ツールを閉じる指示があったことを受けて、表示中のオーダ情報の表示を終了するものとして構成されている。
【００４８】
また、本実施形態のカルテ入力プログラム１５０は、コンピュータを、上記のオーダ情報記憶部１１０、オーダ情報入力部１２０、抽出条件記憶部１３０、およびブラウザ表示部１４０を備えた、受診患者に対する診療行為を指示するオーダ情報を含むカルテ情報の入力を受け付けるカルテ入力装置１００として動作させるものである。
【００４９】
次に、本実施形態のカルテ入力装置のハードウエアについて説明する。
【００５０】
図２は、本実施形態のカルテ入力装置が形成されるコンピュータシステムの概要図である。
【００５１】
図２には、図１に示したオーダ情報記憶部１１０、オーダ情報入力部１２０、抽出条件記憶部１３０、およびブラウザ表示部１４０を備えたカルテ入力装置１００が内部に形成される複数の端末装置８０＿１，８０＿２，８０＿３およびネットワーク９０を介してこれら各端末装置に接続された電子カルテサーバ８０が例示的に示されている。
【００５２】
電子カルテサーバ８０および端末装置８０＿１，８０＿２，８０＿３を構成するコンピュータシステムには、一般にワークステーションと呼ばれる高速かつ大容量のコンピュータシステム、またはパーソナルコンピュータシステムなどが用いられる。
【００５３】
電子カルテサーバ８０および各端末装置８０＿１，８０＿２，８０＿３は、ＣＰＵ、主記憶装置、ハードディスク、通信用ボード等が内蔵された本体部８０ａ，８０ｂ，８０ｃ，８０ｄ、本体部８０ａ，８０ｂ，８０ｃ，８０ｄからの指示により画面上に画像や文字列を表示する表示装置８１ａ，８１ｂ，８１ｃ，８１ｄ、電子カルテサーバ８０および各端末装置８０＿１，８０＿２，８０＿３にオペレータからの指示を入力するためのキーボード８２ａ，８２ｂ，８２ｃ，８２ｄ、および表示画面上の任意の位置を指定することにより、その指定された位置に表示されていたアイコン等に応じた指示を入力するマウス８３ａ，８３ｂ，８３ｃ，８３ｄを備えている。
【００５４】
電子カルテサーバ８０、各端末装置８０＿１，８０＿２，８０＿３、およびネットワーク９０は、全体として電子カルテシステムを形成する。
【００５５】
本体部８０ａ，８０ｂ，８０ｃ，８０ｄは、さらに外観上、フレキシブルディスク（図示せず）、ＭＯ（光磁気ディスク）８５が装填されるＦＤ装填口８４ａ，８４ｂ，８４ｃ，８４ｄ、ＭＯ装填口８５ａ，８５ｂ，８５ｃ，８５ｄを有しており、それらの内部には、それらの装填口から装填されたフレキシブルディスクやＭＯをドライブしてアクセスするフレキシブルディスクドライブユニット、ＭＯドライブユニットが内蔵されている。
【００５６】
本実施形態のカルテ入力プログラム１５０（図１参照）は、例えば上記ＭＯ８５などの記憶媒体に記憶され、各端末装置８０＿１，８０＿２，８０＿３にインストールすることによりカルテ入力装置（図１参照）が形成される。
【００５７】
次に、本実施形態のカルテ入力装置に用いられる各種ファイルを含むデータベースについて説明する。
【００５８】
図３は、本実施形態のカルテ入力装置に用いられるデータベースを示す図である。
【００５９】
このデータベース３００は、図１に示した電子カルテサーバ８０上に形成され、必要に応じてこのデータベース３００のサブセットがカルテ入力装置１００上に形成されるようになっている。
【００６０】
図３に示すように、このデータベース３００は、カルテ情報を紙のカルテのイメージで記憶するシート情報ファイル３１０、カルテ情報のうちの、例えば検査オーダ、処方オーダ、放射線オーダなど患者に対する診療行為を指示するオーダ情報が記憶されるオーダ情報ファイル３２０、医師などの利用者に関する基本情報や後述のブラウザ抽出条件が記憶される利用者マスタ２００、後述の入力ツールプログラムが記憶される設定マスタ３３０、“処方オーダ”、“ 検体検査オーダ”、“ 細菌検査オーダ”などの入力ツールプログラムが記憶される入力ツールファイル３４０、およびブラウザ表示条件設定ウインドウ画面をデフォルト条件で起動するための情報が記憶されるブラウザプレ表示情報ファイル３５０などからなる。各ファイルの詳細については後述する。
【００６１】
なお、上記のオーダ情報ファイル３２０は、図１に示したオーダ情報記憶部１１０の機能の一部を有するものであり、また、上記の利用者マスタ２００は、図１に示した抽出条件記憶部１３０の機能の一部を有するものである。
【００６２】
次に、本実施形態のカルテ入力装置の動作について説明する。
【００６３】
医師が、受診患者の診察を開始し、例えば端末装置８０＿２（図２参照）に形成されたカルテ入力装置１００（図１参照）を立ち上げると、次に示す電子カルテ画面４００が表示装置８１ｂ（図２参照）に表示され、この電子カルテ画面４００を用いたカルテ情報の入力が開始される。
【００６４】
図４は、本実施形態のカルテ入力装置における電子カルテ画面を示す図である。
【００６５】
図４に示すように、この電子カルテ画面４００には、基本情報領域４０１、ブラウザ表示タブ領域４０２、ブラウザ表示領域４０３、カルテ入力領域４０４が設けられている。
【００６６】
基本情報領域４０１は、患者の氏名、性別、年齢、生年月日などの基本的な情報が表示される領域であり、ブラウザ表示タブ領域４０２は、ここに表示されたタブのうち所望のタブを選択することによりブラウザ表示領域４０３に表示される情報の内容を切り換えるためのタブが表示される領域であり、ブラウザ表示領域４０３は、ブラウザ表示タブ領域４０２に表示されたタブのいちいずれかのタブが選択されたかに応じてそのタブにリンクした抽出条件（後述）に従って抽出された、その患者の過去のオーダ情報（後述）が表示される領域である。
【００６７】
なお、図４のブラウザ表示領域４０３には、今回の入力処理が開始される前に表示されていた表示内容がそのまま残っている状態が示されている。
【００６８】
カルテ入力領域４０４は、医師により〈Ｓ：主訴〉、〈Ｏ：客観情報〉、〈Ａ：評価〉、〈Ｉ：インフォームドコンセント〉、および〈Ｐ：計画情報〉などからなる、いわゆるＳＯＡＰ形式のカルテ情報が入力される領域であり、例えば、図４に示すように、〈Ｓ：主訴〉として「急に立ち上がると立ちくらみがする。胃痛がすることが多い。」、〈Ｏ：客観情報〉として「眼底部の貧血あり。」、〈Ａ：評価〉として「胃潰瘍の疑い。」、〈Ｉ：インフォームドコンセント〉として「明日胃カメラで確認しましょう。貧血を改善するために輸血しましょう。」というように医師によるカルテ入力が行われる。この時点ではまだ〈Ｐ：計画情報〉は入力されていない。
【００６９】
ここで、医師が、この患者に対する診療行為を指示するオーダ情報を入力するために、オーダ情報入力を支援する入力ツールを使用しようとした場合には、カルテ入力領域４０４上でマウス８３ｂ（図２参照）の右ボタンをクリックすることにより、入力ツール選択、入力ツール起動、ブラウザ自動抽出、入力ツール編集、入力ツール格納、ブラウザ自動抽出終了などの一連のカルテ入力処理が開始される。
【００７０】
図５は、本実施形態におけるカルテ入力処理のフローチャートである。
【００７１】
このカルテ入力処理は、図１に示すオーダ情報入力部１２０によって実行される。
【００７２】
上記のマウス右クリックにより、入力ツール選択処理が開始される（ステップＳ０１）。
【００７３】
この入力ツール選択処理は、次に示す入力ツール選択処理サブルーチンによって実行される。
【００７４】
図６は、本実施形態における入力ツール選択処理サブルーチンのフローチャートである。
【００７５】
図６に示すように、ステップＳ０１１において、次に示す設定マスタの読み込みが行われる。
【００７６】
図７は、本実施形態における設定マスタのファイル構造を示す図である。
【００７７】
図７に示すように、この設定マスタ３３０は、入力ツールに関する情報や診療科に関する情報などが記憶されたファイルであり、種別３３０ａ、情報のカテゴリ３３０ｂ、ＫＥＹコード３３０ｃ、ＫＥＹ名３３０ｄ、名称３３０ｅ、起動プログラム３３０ｆの６項目が設けられている。
【００７８】
図６のフローチャートの説明を続ける。
【００７９】
ステップＳ０１１で上記の設定マスタ３３０の読み込みが行われた後、ステップＳ０１２で設定マスタ３３０の中のツールに関する情報、すなわち、カテゴリ３３０ｂが“ツール”であるレコード３３０＿５〜３３０＿１４の抽出が行われる。次に、こうして抽出されたツールの数、この例では“１０”に基づき、図８に示す入力ツール選択メニューの表示サイズを算出する（ステップＳ０１３）。
【００８０】
図８は、本実施形態のカルテ入力装置における入力ツール選択処理終了後の電子カルテ画面を示す図である。
【００８１】
図８に示すように、この電子カルテ画面４００’のカルテ入力領域４０４には、入力ツール選択メニュー画面４０５が表示される。
【００８２】
入力ツール選択メニュー画面４０５には、ステップＳ０１１で抽出された１０のレコード３３０＿５〜３３０＿１４（図７参照）の名称３３０ｅに基づく“処方オーダ”、“検体検査オーダ”、“細菌検査オーダ”、“病理検査オーダ”、“放射線オーダ”、“生理検査オーダ”、“輸血オーダ”、“テンプレート”、“シェーマ”、“その他”などの１０種類のツール名が表示される。
【００８３】
この入力ツール選択メニュー画面４０５に表示された１０種類のツールの中から所望のツール、例えば、“検体検査オーダ”が医師により選択された場合は、図５に示すフローチャートのステップＳ０２を通過し、ステップＳ０３において、選択された“検体検査オーダ”の入力ツールである起動プログラム“ＴＲ１００１”（図７：レコード３３０＿６）が、入力ツールファイル３４０（図３参照）から読み出されて起動し、図９に示す検査オーダ画面がカルテ入力領域４０４上に表示され（ステップＳ０１４）、入力ツール選択メニューを選択可能状態にした（ステップＳ０１５）後、この入力ツール選択処理サブルーチンを終了する。
【００８４】
図９は、本実施形態のカルテ入力装置における入力ツール選択後の電子カルテ画面を示す図である。
【００８５】
図９に示すように、この電子カルテ画面４００のブラウザ表示タブ領域４０２には、“抽出条件１”“抽出条件２”“抽出条件３”の３つのタブが表示され、カルテ入力領域４０４には、“生化学検査”、“血液数検査”、“免疫検査”、“尿検査”、“便検査”などの各検査項目、およびその下方に設けられた確定ボタン４０６ａ、中止ボタン４０６ｂを有する検査オーダ画面４０６が表示される。
【００８６】
ここで、上記検査オーダ画面４０６に表示された検査項目のうちの、例えば“血液数検査”を選択して確定ボタン４０６ａをクリックすると、図１６に示すように、カルテ入力領域４０４上に検体検査オーダ画面４０７が表示される。
【００８７】
なお、ブラウザ表示領域４０３には、ブラウザ表示条件設定ウインドウ画面２１０（図１１を参照して後述する）が表示される。
【００８８】
ここで、ブラウザ表示タブ領域４０２に表示されている３つのタブのうちの特定のタブを選択すると、ブラウザ表示領域４０３に表示されるブラウザ表示条件設定ウインドウ画面の内容がそのタブに対応して切り換えられる。なお、選択されたタブは表示色が変更され他のタブと区別されるようになっている。
【００８９】
また、ブラウザ表示タブ領域４０２上で右クリックすることにより、次に示すタブ操作メニューが表示される。
【００９０】
図１０は、本実施形態のカルテ入力装置におけるタブ操作メニューを示す図である。
【００９１】
図１０に示すように、このタブ操作メニュー４０９には、条件変更ボタン４０９ａ、条件削除ボタン４０９ｂ、新規条件追加ボタン４０９ｃ、および中止ボタン４０９ｄが設けられている。
【００９２】
条件変更ボタン４０９ａは、オーダ情報を自動抽出するための抽出条件を変更するためのボタンであり、例えば“抽出条件１”のタブ上で右クリックした後、条件変更ボタン４０９ａを右クリックすると、過去のオーダ情報を自動抽出するための抽出条件を設定するためのブラウザ表示条件設定ウインドウ画面（図１１参照）が表示されその画面を用いて抽出条件の設定を変更することができる。
【００９３】
条件削除ボタン４０９ｂは、不要となった抽出条件を削除するためのボタンである。
【００９４】
新規条件追加ボタン４０９ｃは、新たに抽出条件を追加するためのボタンである。抽出条件の追加は、条件変更と同様ブラウザ表示条件設定ウインドウ画面（図１１参照）により行われる。
【００９５】
中止ボタン４０９ｄは、このタブ操作メニューの処理を中止するためのボタンである。
【００９６】
図１１は、本実施形態に用いられるブラウザ表示条件設定ウインドウ画面を示す図である。
【００９７】
図１１に示すように、このブラウザ表示条件設定ウインドウ画面２１０には、「タイトル」２１０＿１、「抽出区分」２１０＿２、「抽出対象」２１０＿３、「抽出期間」２１０＿４、「表示順」２１０＿５、「初期表示件数」２１０＿６、「人外区分」２１０＿７、「診療科」２１０＿８、「病棟」２１０＿９、「条件保存」２１０＿１０、「ツール連動」２１０＿１１、「連動ツール」２１０＿１２、「抽出条件表示」２１０＿１３などの項目が設けられており、利用者によってこれらの各項目が設定できるようになっている。なお、上記の「抽出条件表示」２１０＿１３は、本発明にいう抽出条件表示フラグに相当するものである。
【００９８】
また、このブラウザ表示条件設定ウインドウ画面２１０には、設定を確定するための確定ボタン２１０ａおよび設定を中止するための中止ボタン２１０ｂが設けられている。
【００９９】
「タイトル」２１０＿１としては、ここでは“自動抽出”という抽出条件の名称が設定された例が示されている。この「タイトル」２１０＿１は利用者による変更が可能である。
【０１００】
「抽出区分」２１０＿２には、「シート」、「オーダ」、「シェーマ」の３項目が設けられており、この例では上記３項目のうち「オーダ」が選択された状態が示されている。
【０１０１】
「抽出対象」２１０＿３には、「全オーダ」、「検査オーダ」、「処方オーダ」、…などの各項目が設けられており、この例では上記各項目のうち「検査オーダ」が選択された状態が示されている。
【０１０２】
「抽出期間」２１０＿４には、この例では“１９００／０１／０１”〜“９９９９／１２／３１”というように抽出開始から抽出終了までの期間が設定された状態が示されている。
【０１０３】
「表示順」２１０＿５には、「昇順」、「降順」の２項目が設けられており、この例では上記２項目のうち「昇順」が選択された状態が示されている。
【０１０４】
「初期表示件数」２１０＿６には、この例では初期表示件数として“２０件”が設定された状態が示されている。
【０１０５】
「人外区分」２１０＿７には、「共通」、「入院」、「外来」 の３項目が設けられており、この例では上記３項目のうち「共通」が選択された状態が示されている。
【０１０６】
「診療科」２１０＿８には、「全診療科」、「自科」、「外科」 、「内科」、「泌尿器科」、…などの各項目が設けられており、この例では上記各項目のうち「全診療科」が選択された状態が示されている。
【０１０７】
「病棟」２１０＿９には、「全病棟」、「１階北」、「１階南」 、「２階北」、「５階南」、…などの各項目が設けられており、この例では上記各項目のうち「全病棟」が選択された状態が示されている。
【０１０８】
「条件保存」２１０＿１０は、「ＯＮ」または「ＯＦＦ」のいずれか一方が設定されるフラグであり、前述の条件保存フラグに相当する。この例では「ＯＮ」が設定された状態が示されている。
【０１０９】
「ツール連動」２１０＿１１は、「ＯＮ」または「ＯＦＦ」のいずれか一方が設定されるフラグであり、前述のツール連動フラグに相当する。この例では「ＯＮ」が設定された状態が示されている。
【０１１０】
「連動ツール」２１０＿１２には、ツール連動するツール名が記憶されるようになっており、この例では「検体検査オーダ」が記憶された状態が示されている。
【０１１１】
「抽出条件表示」２１０＿１３は、「ＯＮ」または「ＯＦＦ」のいずれか一方が設定されるフラグであり、前述の抽出条件表示フラグに相当する。この例では「ＯＮ」が設定された状態が示されている。
【０１１２】
こうしてブラウザ表示条件設定ウインドウ画面２１０上でブラウザ表示条件を設定し、確定ボタン２１０ａをクリックすると、図５に示すフローチャートのステップＳ０４におけるブラウザ自動抽出処理が開始される。
【０１１３】
このブラウザ自動抽出処理は図１に示すブラウザ表示部１４０によって実行される。
【０１１４】
図１２は、本実施形態におけるブラウザ自動抽出処理のフローチャートである。
【０１１５】
このブラウザ自動抽出処理はサブルーチンとして構成されており、サブルーチン終了後は図５に示すメインルーチンの入力ツール編集処理（ステップＳ０５）に戻るようになっている。
【０１１６】
図１２に示すように、先ず利用者マスタの読み込みが行われる（ステップＳ１１）。
【０１１７】
図１３は、本実施形態のカルテ入力装置に用いられる利用者マスタの構造を示す図である。
【０１１８】
図１３に示すように、この利用者マスタ２００は階層構造となっており、第１階層には各利用者、すなわち医師の識別情報である「ＵＳＥＲ０１」２０１ａ、「ＵＳＥＲ０２」２０１ｂ、…が記憶される。第２階層には「利用者基本情報」２０２ａおよび「ブラウザ抽出条件」２０２ｂが記憶される。
【０１１９】
「利用者基本情報」２０２ａの下の第３階層には医師の「各利用者ＩＤ」２０３ａとして例えば“０００００００１９”、「利用者パスワード」２０３ｂとして例えば“ａｂｃ１２４”、「利用者氏名」２０３ｃとして例えば“名古屋  次郎”、「所属コード」２０３ｄとして例えば“０１”、「所属」２０３ｅとして例えば“内科”、…などが記憶される。
【０１２０】
「ブラウザ抽出条件」２０２ｂの下の第３階層には「抽出条件情報」２０４ａ、「抽出条件０１」２０５ａ、「抽出条件０２」２０５ｂ、「抽出条件０３」２０５ｃが記憶される。
【０１２１】
「抽出条件情報」２０４ａの下の第４階層には、「数」２０４ｂとして例えば“０３”、「ツール連動初期設定」２０４ｂとして例えば“ＯＮ”が記憶される。なお、上記の「数」２０４ｂが“０３”であるということは、図示のように、この医師について、「抽出条件０１」２０５ａ、「抽出条件０２」２０５ｂ、「抽出条件０３」２０５ｃの３つの抽出条件が設定済みであることを表している。
【０１２２】
また、「抽出条件０１」２０５ａの下の第４階層には、「タイトル」２０６ａとして例えば“抽出条件１”、「検索カテゴリ」２０６ｂとして例えば“シート”、「条件保存」２０６ｃとして例えば“ＯＮ”、「ツール連動」２０６ｄとして例えば“ＯＦＦ”、「連動ツール」２０６ｅとして例えば“”、「抽出条件表示」２０６ｆとして例えば“”などが記憶されている。
【０１２３】
なお、上記「タイトル」２０６ａは、電子カルテ画面４００（図９参照）のブラウザ表示タブ領域４０２に表示される。
【０１２４】
図１２のフローチャートの説明を続ける。
【０１２５】
ステップＳ１１において利用者マスタ２００が読み込まれた後、ステップＳ０４２において「ツール連動初期設定」２０４ｃ（図１３参照）が“ＯＮ”であるか否かの判定が行われる。
【０１２６】
ステップＳ０４２における判定の結果、「ツール連動初期設定」２０４ｃが“ＯＮ”ではない場合はこのサブルーチンを終了しメインルーチンに戻るが、「ツール連動初期設定」２０４ｃが“ＯＮ”である場合はステップＳ０４３に進むようになっている。図１３に示す例では「ツール連動初期設定」２０４ｃが“ＯＮ”であるのでこの場合はステップＳ０４３に進むこととなる。
【０１２７】
ステップＳ０４３では、ステップＳ０３において起動した入力ツールとツール連動する設定になっているか否か、すなわちステップＳ１１で読み込まれた利用者マスタ２００（図１３参照）の中の「ツール連動」２０６ｄが「ＯＮ」に設定されているか否かの判定が行われる。
【０１２８】
ステップＳ０４３における判定の結果、「ツール連動」２０６ｄが「ＯＮ」に設定されている場合にはステップＳ０４７に進む。
【０１２９】
一方、ステップＳ０４３における判定の結果、「ツール連動」２０６ｄが「ＯＮ」に設定されていない場合にはステップＳ０４４に進む。
【０１３０】
この例では、ステップＳ０３で起動した入力ツールは“検体検査オーダ”であり、「ツール連動」２０６ｄが「ＯＦＦ」に設定されているので、ステップＳ０４４に進む。
【０１３１】
ステップＳ０４４では、データベース３００（図３参照）のブラウザプレ表示情報ファイル３５０に記憶された、ブラウザ表示条件設定ウインドウ画面をデフォルト状態で起動するためのデフォルト条件が読み込まれ、そのデフォルト条件に基づき図１１に示したブラウザ表示条件設定ウインドウ画面２１０を起動し、ブラウザ表示領域４０３に表示する。
【０１３２】
図１４は、本実施形態のカルテ入力装置におけるブラウザプレ表示情報ファイルを示す図である。
【０１３３】
図１４に示すように、このブラウザプレ表示情報ファイル３５０には、「タイトル」３５０＿１、「検索カテゴリ」３５０＿２、「オーダ検索条件」３５０＿３、「抽出期間」３５０＿４、「表示順」３５０＿５、「初期表示件数」３５０＿６、「人外区分」３５０＿７、「診療科」３５０＿８、「病棟」３５０＿９、「条件保存」３５０＿１０、「ツール連動」３５０＿１１、「連動ツール」３５０＿１２、「抽出条件表示」３５０＿１３などの項目が設けられており、各項目に上記デフォルト条件が設定されている。
【０１３４】
すなわち、「タイトル」３５０＿１は、デフォルトでは空白となっており、利用者により任意の名称が設定できるようになっている。
【０１３５】
「検索カテゴリ」３５０＿２には、「シート」、「ツール」、「シェーマ」 の３項目が設けられており、この例では上記３項目のうち「ツール」が選択された状態が示されている。
【０１３６】
「オーダ検索条件」３５０＿３には、「全オーダ」、「検査オーダ」、「処方オーダ」、…などの各項目が設けられており、この例では上記各項目のうち「全オーダ」が選択された状態が示されている。
【０１３７】
「抽出期間」３５０＿４には、この例では“１９００／０１／０１”〜“９９９９／１２／３１”というように抽出開始から抽出終了までの期間が設定された状態が示されている。
【０１３８】
「表示順」３５０＿５には、「昇順」、「降順」の２項目が設けられており、この例では上記２項目のうち「昇順」が選択された状態が示されている。
【０１３９】
「初期表示件数」３５０＿６には、この例では初期表示件数として“２０件”が設定された状態が示されている。
【０１４０】
「人外区分」３５０＿７には、「共通」、「入院」、「外来」 の３項目が設けられており、この例では上記３項目のうち「共通」が選択された状態が示されている。
【０１４１】
「診療科」３５０＿８には、「全診療科」、「自科」、「外科」 、「内科」、「泌尿器科」、…などの各項目が設けられており、この例では上記各項目のうち「全診療科」が選択された状態が示されている。
【０１４２】
「病棟」３５０＿９には、「全病棟」、「１階北」、「１階南」 、「２階北」、「５階南」、…などの各項目が設けられており、この例では上記各項目のうち「全病棟」が選択された状態が示されている。
【０１４３】
「条件保存」３５０＿１０は、「ＯＮ」または「ＯＦＦ」のいずれか一方が設定されるフラグであり、前述の条件保存フラグに相当する。この例では「ＯＮ」が設定された状態が示されている。
【０１４４】
「ツール連動」３５０＿１１は、「ＯＮ」または「ＯＦＦ」のいずれか一方が設定されるフラグであり、前述のツール連動フラグに相当する。この例では「ＯＮ」が設定された状態が示されている。
【０１４５】
「連動ツール」３５０＿１２には、ツール連動するツール名として「検体検査オーダ」、「処方オーダ」、「放射線オーダ」の３項目が設けられており、この例では上記３項目のうち「検体検査オーダ」が選択された状態が示されている。
【０１４６】
「抽出条件表示」３５０＿１３は、「ＯＮ」または「ＯＦＦ」のいずれか一方が設定されるフラグであり、前述の抽出条件表示フラグに相当する。この例では「ＯＮ」が設定された状態が示されている。
【０１４７】
図１２のフローチャートの説明を続ける。
【０１４８】
ステップＳ０４４において、図１４に示したデフォルト条件でブラウザ表示条件設定ウインドウ画面２１０が起動され、ブラウザ表示領域４０３（図４参照）に表示されると、次にステップＳ０４５において、ブラウザ表示条件設定ウインドウ画面２１０上で抽出条件の設定が行われる。抽出条件の設定が終了した後、利用者により確定ボタン２１０ａがクリックされると抽出条件は確定する。ここで、前述の「条件保存」フラグが「ＯＮ」に設定されている場合には、確定した抽出条件は利用者マスタ２００（図１３参照）に保管される（ステップＳ０４６）。
【０１４９】
図１５は、確定結果が保管された後の利用者マスタを示す図である。
【０１５０】
図１５に示すように、設定後の利用者マスタ２００’の「ブラウザ抽出条件」２０２ｂ’の下の第３階層には、「タイトル」２０６ａとして例えば“自動抽出”、「検索カテゴリ」２０６ｂとして例えば“ツール”、「条件保存」２０６ｃとして例えば“ＯＮ”、「ツール連動」２０６ｄとして例えば“ＯＮ”、「連動ツール」２０６ｅとして例えば“検体検査オーダ”、「抽出条件表示」２０６ｆとして例えば“ＯＮ”などからなる「抽出条件０４」２０５ｄが新たに記憶されている。
【０１５１】
図１２のフローチャートの説明を続ける。
【０１５２】
ステップＳ０４６で抽出条件の保管が終わると、次にステップＳ０５１に進む。
【０１５３】
ステップＳ０４７では、利用者マスタ２００’（図１５参照）に保管されている“抽出条件０４”の“抽出条件表示”２０６ｆ（図１５参照）が“ＯＮ”になっているか否かの判定が行われる。
【０１５４】
ステップＳ０４７における判定の結果、“抽出条件表示”２０６ｆ（図１５参照）が“ＯＮ”になっていない場合はステップＳ０５１に進むが、図１５に示す例では、“抽出条件表示”２０６ｆ（図１５参照）が“ＯＮ”になっているのでステップＳ０４８に進む。
【０１５５】
ステップＳ０４８では、ブラウザ表示条件設定ウインドウ画面２１０（図１１参照）に、利用者マスタ２００’（図１５参照）に保管されている“抽出条件０４”の内容を埋め込んでブラウザ表示条件設定ウインドウ画面２１０を起動し、ブラウザ表示領域４０３に表示する。
【０１５６】
次に、ステップＳ０４９において、ブラウザ表示条件設定ウインドウ画面２１０上で抽出条件の設定が行われる。抽出条件の設定が終了した後、利用者により確定ボタン２１０ａがクリックされると抽出条件は確定する。ここで、前述の「条件保存」フラグが「ＯＮ」に設定されている場合には、確定した抽出条件は利用者マスタ２００’（図１５参照）に保管され（ステップＳ０５０）、ステップＳ０５１に進む。
【０１５７】
ステップＳ０５１では、データベース３００（図３参照）のシート情報ファイル３１０に紙のカルテのイメージで記憶されている受診患者の過去のカルテ情報の中から上記抽出条件に合致するカルテ情報の抽出処理が行われる。抽出されたカルテ情報４１０は、図１６に示すようにブラウザ表示領域４０３に表示され、また、ブラウザ表示タブ領域４０２に、新たなタブ“自動抽出”が追加表示される（ステップＳ０５２）。
【０１５８】
図１６は、本実施形態のカルテ入力装置におけるブラウザ自動抽出処理終了後の電子カルテ画面を示す図である。
【０１５９】
図１６に示すように、この電子カルテ画面４００”のブラウザ表示タブ領域４０２には、新たなタブ“自動抽出”が表示され、また、ブラウザ表示領域４０３には、図示のように、受診患者の過去のカルテ情報の中から上記のブラウザ自動抽出処理によって抽出されたカルテ情報４１０が表示され、また、電子カルテ画面４００”のカルテ入力領域４０４には、検体検査オーダ画面４０７が表示される。検体検査オーダ画面４０７の血液数検査の項目名の下に、赤血球数、白血球数、リンパ球数の３つの項目、およびその下方に確定ボタン４０７ａ、中止ボタン４０７ｂが表示される。
【０１６０】
こうして電子カルテ画面４００”が表示された後、ブラウザ自動抽出処理サブルーチンは終了し、図５に示すメインルーチンに戻り、ステップＳ０５以降の処理に移る。
【０１６１】
メインルーチンに戻ると、ステップＳ０５における入力ツール編集処理が開始される。
【０１６２】
ステップＳ０５では、電子カルテ画面４００”（図１６参照）のカルテ入力領域４０４に表示された検体検査オーダ画面４０７により検体検査オーダの編集処理が行われる。図１６には、血液数検査の３つの項目のうち赤血球数および白血球数が選択された状態が示されている。
【０１６３】
ここで、利用者により確定ボタン４０７ａがクリックされると、ステップＳ０５における検体検査オーダの編集処理は終了し、次にステップＳ０６において、入力ツール格納処理が行われる。すなわち、編集された検体検査オーダは、データベース３００（図３参照）のオーダ情報ファイル３２０に格納され、さらに、この検体検査オーダは検体検査の担当部署に送られ、その担当部署において受診患者に検体検査オーダが実施されることとなる。
【０１６４】
次に、ブラウザ自動抽出終了処理が開始される（ステップＳ０７）。このブラウザ自動抽出終了処理は次に示すブラウザ自動抽出終了処理サブルーチンにより実行され、このサブルーチン終了後は図５に示すメインルーチンに戻るようになっている。
【０１６５】
図１７は、本実施形態におけるブラウザ自動抽出終了処理サブルーチンのフローチャートである。
【０１６６】
図１７に示すように、先ず「ツール連動」３５０＿１１が「ＯＮ」になっているか否かが判定される（ステップＳ０７１）。
【０１６７】
ステップＳ０７１における判定の結果、「ツール連動」３５０＿１１が「ＯＮ」になっていない場合には何も行われずにこのサブルーチンを終了するが、図１５に示す例では、「ツール連動」３５０＿１１は「ＯＮ」になっているので、この場合には、ステップＳ０７２に進み、抽出画面の表示を終了してからこのサブルーチンを終了する。抽出画面の表示を終了した後には、このブラウザ自動抽出処理を開始する直前まで表示されていた画面が再び表示される。
【０１６８】
このように、「ツール連動」３５０＿１１を「ＯＮ」／「ＯＦＦ」いずれに設定しておくかにより、抽出画面の表示／非表示を制御することができるので、抽出画面の表示を終了させるための利用者による操作が不要になる。また、抽出画面の表示終了後、ブラウザ自動抽出処理を開始する直前まで表示されていた画面を再現させ、その画面を用いて行っていた作業を再開することができる。
【０１６９】
こうして、オーダ情報入力が終わると、電子カルテ画面４００は、一旦、図４に示す状態に戻り、カルテ入力領域４０４の〈Ｐ：計画情報〉の欄に、
「２００４／０４／０２  検査オーダ
血液検査：赤血球、白血球」
のように計画情報が書き込まれる。
【０１７０】
こうしてカルテ情報の入力が完了ると、利用者によるカルテ入力領域４０４上での右クリックにより、このカルテ情報は、データベース３００（図３参照）のシート情報ファイル３１０に送られ保存される。
【０１７１】
以上説明したように、本実施形態のカルテ入力装置では、複数種類の入力ツールの中からユーザにより所望の入力ツールが選択されたことを受けて、その選択された入力ツールに抽出条件がリンクしていた場合にそのリンクした抽出条件に従って、過去のカルテ情報の中からその抽出条件に合致したカルテ情報を抽出して自動的に表示するので、従来のカルテ入力装置のように過去のオーダ情報をブラウザ表示部に表示させる操作をとりたてて行う必要がなくなり、優れた操作性を得ることができる。
【０１７２】
さらに、本実施形態では、前述の、ツール連動初期設定フラグ、ツール連動フラグ、抽出条件表示フラグ、および条件保存フラグを備えた「ツール連動抽出機能」を有しているので、過去のオーダ情報のブラウザ表示部への表示を自在に制御することが可能であり、カルテ入力装置の操作性をさらに優れたものとすることができる。
【０１７３】
以下に本発明の各種態様について付記する。
（付記１）
受診患者に対する診療行為を指示するオーダ情報を含むカルテ情報の入力を受け付けるカルテ入力装置において、
受診患者に対する過去に指示された診療行為を表す過去のオーダ情報を記憶しておくオーダ情報記憶部と、
種類分けされた複数種類のオーダ情報の入力をそれぞれ分担する複数種類の入力ツールの中からユーザにより選択された入力ツールを起動し該入力ツールを用いて該入力ツールに応じたオーダ情報を入力するオーダ情報入力部と、
前記複数種類の入力ツールのうちのいずれかの入力ツールとリンクした抽出条件を記憶しておく抽出条件記憶部と、
前記複数種類の入力ツールの中からユーザにより所望の入力ツールが選択されたことを受けて、その選択された入力ツールに抽出条件がリンクしていた場合にそのリンクした抽出条件に従って、過去のオーダ情報の中からその抽出条件に合致したオーダ情報を抽出して表示するブラウザ表示部とを備えたことを特徴とするカルテ入力装置。
【０１７４】
（付記２）
前記抽出条件記憶部は、さらに、前記入力ツールとは独立の抽出条件を記憶しておくものであって、
前記ブラウザ表示部は、ユーザによる抽出条件の指定を受けて、その指定された抽出条件に従って、過去のオーダ情報の中からその抽出条件に合致したオーダ情報を抽出して表示するものであることを特徴とする付記１記載のカルテ入力装置。
【０１７５】
（付記３）
前記入力ツールと前記抽出条件とのリンク情報が、抽出に先立って該抽出条件を表示することを指定する抽出条件表示フラグを含むものであって、
前記ブラウザ表示部は、前記複数種類の入力ツールの中からユーザにより所望の入力ツールが選択されたことを受けて、その選択された入力ツールに抽出条件がリンクしていた場合であってそのリンク情報に抽出条件表示フラグが含まれていたときは、そのリンクされた抽出条件を一旦表示してユーザによる修正操作および確定操作を受け付け、確定操作により確定した抽出条件に従って、過去のオーダ情報の中からその抽出条件に合致したオーダ情報を抽出して表示するものであり、そのリンク情報に抽出条件表示フラグが含まれていないときは、そのリンクされた抽出条件を表示することなく、該抽出条件に従って、過去のオーダ情報の中からその抽出条件に合致したオーダ情報を抽出して表示するものであることを特徴とする付記１記載のカルテ入力装置。
【０１７６】
（付記４）
前記オーダ情報入力部は、ユーザによる入力ツールを閉じる指示を受けて該入力ツールを閉じることにより該入力ツールに応じたオーダ情報の入力を終了するものであって、
前記ブラウザ表示部は、ユーザによる入力ツールを閉じる指示があったことを受けて、表示中のオーダ情報の表示を終了するものであることを特徴とする付記１記載のカルテ入力装置。
【０１７７】
（付記５）
コンピュータを、
受診患者に対する過去に指示された診療行為を表す過去のオーダ情報を記憶しておくオーダ情報記憶部と、
種類分けされた複数種類のオーダ情報の入力をそれぞれ分担する複数種類の入力ツールの中からユーザにより選択された入力ツールを起動し該入力ツールを用いて該入力ツールに応じたオーダ情報を入力するオーダ情報入力部と、
前記複数種類の入力ツールのうちのいずれかの入力ツールとリンクした抽出条件を記憶しておく抽出条件記憶部と、
前記複数種類の入力ツールの中からユーザにより所望の入力ツールが選択されたことを受けて、その選択された入力ツールに抽出条件がリンクしていた場合にそのリンクした抽出条件に従って、過去のオーダ情報の中からその抽出条件に合致したオーダ情報を抽出して表示するブラウザ表示部とを備えた、受診患者に対する診療行為を指示するオーダ情報を含むカルテ情報の入力を受け付けるカルテ入力装置として動作させることを特徴とするカルテ入力プログラム。
【図面の簡単な説明】
【０１７８】
【図１】本発明の一実施形態のカルテ入力装置およびカルテ入力プログラムの概略構成図である。
【図２】本実施形態のカルテ入力装置が形成されるコンピュータシステムの概要図である。
【図３】本実施形態のカルテ入力装置に用いられるデータベースを示す図である。
【図４】本実施形態のカルテ入力装置における電子カルテ画面を示す図である。
【図５】本実施形態におけるカルテ入力処理のフローチャートである。
【図６】本実施形態における入力ツール選択処理サブルーチンのフローチャートである。
【図７】本実施形態における設定マスタのファイル構造を示す図である。
【図８】本実施形態のカルテ入力装置における入力ツール選択処理終了後の電子カルテ画面を示す図である。
【図９】本実施形態のカルテ入力装置における入力ツール選択後の電子カルテ画面を示す図である。
【図１０】本実施形態のカルテ入力装置におけるタブ操作メニューを示す図である。
【図１１】本実施形態に用いられるブラウザ表示条件設定ウインドウ画面を示す図である。
【図１２】本実施形態におけるブラウザ自動抽出処理のフローチャートである。
【図１３】本実施形態のカルテ入力装置に用いられる利用者マスタの構造を示す図である。
【図１４】本実施形態のカルテ入力装置におけるブラウザプレ表示情報ファイルを示す図である。
【図１５】確定結果が保管された後の利用者マスタを示す図である。
【図１６】本実施形態のカルテ入力装置におけるブラウザ自動抽出処理終了後の電子カルテ画面を示す図である。
【図１７】本実施形態におけるブラウザ自動抽出終了処理サブルーチンのフローチャートである。
【図１８】従来のカルテ入力装置におけるカルテ入力画面の一例を示す図である。
【図１９】従来のカルテ入力装置におけるオーダ情報入力処理のフローチャートの一例である。
【図２０】従来のカルテ入力装置におけるブラウザ表示処理のフローチャートの一例である。
【符号の説明】
【０１７９】
８０    電子カルテサーバ
８０ａ，８０ｂ，８０ｃ，８０ｄ    本体部
８０＿１，８０＿２，８０＿３    端末装置
８１ａ，８１ｂ，８１ｃ，８１ｄ    表示装置
８２ａ，８２ｂ，８２ｃ，８２ｄ    キーボード
８３ａ，８３ｂ，８３ｃ，８３ｄ    マウス
８４ａ，８４ｂ，８４ｃ，８４ｄ    ＦＤ装填口
８５    ＭＯ
８５ａ，８５ｂ，８５ｃ，８５ｄ    ＭＯ装填口
９０    ネットワーク
１００    カルテ入力装置
１１０    オーダ情報記憶部
１２０    オーダ情報入力部
１３０    抽出条件記憶部
１４０    ブラウザ表示部
１５０    カルテ入力プログラム
２００，２１０’    利用者マスタ
２００ａ    「ＵＳＥＲ０１」
２０１ｂ    「ＵＳＥＲ０２」
２０２ａ    「利用者基本情報」
２０２ｂ    「ブラウザ抽出条件」
２０３ａ    「各利用者ＩＤ」
２０３ｂ    「利用者パスワード」
２０３ｃ    「利用者氏名」
２０３ｄ    「所属コード」
２０３ｅ    「所属」
２０４ａ    「抽出条件情報」
２０４ｂ    「数」
２０５ａ    「抽出条件０１」
２０５ｂ    「抽出条件０２」
２０５ｃ    「抽出条件０３」
２０５ｄ    「抽出条件０４」
２０６ａ    「タイトル」
２０６ｂ    「検索カテゴリ」
２０６ｃ    「条件保存」
２０６ｄ    「ツール連動」
２０６ｅ    「連動ツール」
２０６ｆ    「抽出条件表示」
２１０    ブラウザ表示条件設定ウインドウ画面
２１０ａ    確定ボタン
２１０ｂ    中止ボタン
２１０＿１    「タイトル」
２１０＿２    「抽出区分」
２１０＿３    「抽出対象」
２１０＿４    「抽出期間」
２１０＿５    「表示順」
２１０＿６    「初期表示件数」
２１０＿７    「人外区分」
２１０＿８    「診療科」
２１０＿９    「病棟」
２１０＿１０    「条件保存」
２１０＿１１    「ツール連動」
２１０＿１２    「連動ツール」
２１０＿１３    「抽出条件表示」
３００    データベース
３１０    シート情報ファイル
３２０    オーダ情報ファイル
３３０    設定マスタ
３３０ａ    種別
３３０ｂ    カテゴリ
３３０ｃ    ＫＥＹコード
３３０ｄ    ＫＥＹ名
３３０ｅ    名称
３３０ｆ    起動プログラム
３３０＿５〜３３０＿１４    レコード
３４０    入力ツールファイル
３５０    ブラウザプレ表示情報ファイル
３５０＿１    「タイトル」
３５０＿２    「検索カテゴリ」
３５０＿３    「オーダ検索条件」
３５０＿４    「抽出期間」
３５０＿５    「表示順」
３５０＿６    「初期表示件数」
３５０＿７    「人外区分」
３５０＿８    「診療科」
３５０＿９    「病棟」
３５０＿１０    「条件保存」
３５０＿１１    「ツール連動」
３５０＿１２    「連動ツール」
３５０＿１３    「抽出条件表示」
４００，４００’，４００”    電子カルテ画面
４０１    基本情報領域
４０２    ブラウザ表示タブ領域
４０３    ブラウザ表示領域
４０４    カルテ入力領域
４０５    入力ツール選択メニュー画面
４０６    検査オーダ画面
４０６ａ    確定ボタン
４０６ｂ    中止ボタン
４０７    検体検査オーダ画面
４０７ａ    確定ボタン
４０７ｂ    中止ボタン
４０８
４０９    タブ操作メニュー
４０９ａ    条件変更ボタン
４０９ｂ    条件削除ボタン
４０９ｃ    新規条件追加ボタン
４０９ｄ    中止ボタン
４１０    カルテ情報
９００，９００’    カルテ入力画面
９０１    基本情報領域
９０２    ブラウザ表示領域
９０３    カルテ入力領域
９０４    入力ツール選択メニュー画面
９０５    入力ツール画面
９０６    ブラウザメニュー選択画面
９０７    抽出条件指定メニュー
９０８    “条件２（検査オーダ）”
９０９    検査オーダ情報
【図１】
2006048598.tif 000003
【図２】
2006048598.tif 000004
【図３】
2006048598.tif 000005
【図４】
2006048598.tif 000006
【図５】
2006048598.tif 000007
【図６】
2006048598.tif 000008
【図７】
2006048598.tif 000009
【図８】
2006048598.tif 000010
【図９】
2006048598.tif 000011
【図１０】
2006048598.tif 000012
【図１１】
2006048598.tif 000013
【図１２】
2006048598.tif 000014
【図１３】
2006048598.tif 000015
【図１４】
2006048598.tif 000016
【図１５】
2006048598.tif 000017
【図１６】
2006048598.tif 000018
【図１７】
2006048598.tif 000019
【図１８】
2006048598.tif 000020
【図１９】
2006048598.tif 000021
【図２０】
2006048598.tif 000022